(57)【要約】【課題】タブレットパソコン及び携帯電話機を保護すると共に、タブレットパソコン及び携帯電話機を同時に充電することができる保護ケースを提供すること。【解決手段】本発明に係る保護ケースは、台座及び前記台座に連接される主体部を備える。前記主体部は、タブレットパソコンを収納するために用いられ、前記保護ケースは、前記主体部に設けられた充電アセンブリをさらに備え、前記充電アセンブリは、ケーブル及び前記ケーブルに接続された主充電コイルを含み、前記ケーブルは、外部の交流電源に接続されて、交流電流を前記主充電コイルに伝え、前記主充電コイルは、前記交流電流の作用で交流磁場を発生し、前記タブレットパソコンに設けられた第一サブ充電コイルは、前記交流磁場によって、電気エネルギーを生成して、前記タブレットパソコンを充電する。【選択図】図２
2014220994.tif 000002
【特許請求の範囲】
【請求項１】
台座及び前記台座に連接される主体部を備える保護ケースであって、
前記主体部は、タブレットパソコンを収納するために用いられ、前記保護ケースは、前記主体部に設けられた充電アセンブリをさらに備え、前記充電アセンブリは、ケーブル及び前記ケーブルに接続された主充電コイルを含み、前記ケーブルは、外部の交流電源に接続されて、交流電流を前記主充電コイルに伝え、
前記主充電コイルは、前記交流電流の作用で交流磁場を発生し、前記タブレットパソコンに設けられた第一サブ充電コイルは、前記交流磁場によって、電気エネルギーを生成して、前記タブレットパソコンを充電することを特徴とする保護ケース。
【請求項２】
前記ケーブルは、第一サブケーブルを含み、前記台座の内部には、電池が装着されており、
前記第一サブケーブルは、前記電池に電気的に接続され、且つ前記台座の一部及び前記主体部の一部を順次に貫通して、前記主体部の内部に設けられた前記主充電コイルに電気的に接続されていることを特徴とする請求項１に記載の保護ケース。
【請求項３】
前記ケーブルは、前記第一サブケーブルに接続されている第二サブケーブルをさらに含み、前記充電アセンブリは、１つの電源線をさらに備え、前記第二サブケーブルは、前記台座を貫通して前記電源線に接続され、前記電源線は、前記外部の交流電源に接続されていることを特徴とする請求項２に記載の保護ケース。
【請求項４】
前記電池には、導電端子が設けられ、前記台座の側面には、前記導電端子に対応して位置する第一開口が設けられ、前記タブレットパソコンの側壁には、第一ＵＳＢ接続ポートが設けられ、
１つのデータ伝送線の一端が前記第一開口を貫通して前記導電端子に接続され、前記データ伝送線の他端が前記第一ＵＳＢ接続ポートに接続されることによって、前記電池からの電気エネルギーが前記タブレットパソコンに伝えられることを特徴とする請求項３に記載の保護ケース。
【請求項５】
前記主体部には、前記タブレットパソコンを収容するための収容空間が形成され、前記タブレットパソコンは、下端が前記台座の表面に当止されるように前記収容空間内に収納されることを特徴とする請求項１から４のいずれか一項に記載の保護ケース。
【請求項６】
台座と、前記台座に連接される主体部と、前記主体部に収容されるタブレットパソコンと、を備えるタブレットパソコン保護機構であって、
前記タブレットパソコン保護機構は、前記主体部に設けられた充電アセンブリをさらに備え、前記充電アセンブリは、ケーブル及び前記ケーブルに接続された主充電コイルを含み、前記タブレットパソコン内には第一サブ充電コイルが装着されており、前記ケーブルは、外部の交流電源に接続されて、交流電流を前記主充電コイルに伝え、
前記主充電コイルは、前記交流電流の作用で交流磁場を発生し、前記第一サブ充電コイルは、前記交流磁場によって、電気エネルギーを生成して、前記タブレットパソコンを充電することを特徴とするタブレットパソコン保護機構。
【請求項７】
前記主体部の外面には、携帯電話機を収納するための収容部がさらに設けられ、前記携帯電話機は、前記主体部における前記タブレットパソコンの反対側に収納されることを特徴とする請求項６に記載のタブレットパソコン保護機構。
【請求項８】
前記携帯電話機の内部には、第二サブ充電コイルが設けられ、前記第二サブ充電コイルは、前記交流磁場によって、電気エネルギーを生成して、前記携帯電話機を充電することを特徴とする請求項７に記載のタブレットパソコン保護機構。
【請求項９】
前記携帯電話機には、第三ＵＳＢ接続ポートが設けられ、前記主体部には、収容空間と連通する第二開口が設けられ、前記タブレットパソコンの側壁には、前記第二開口に対応して位置する第二ＵＳＢ接続ポートがさらに設けられており、
１つのデータ伝送線の一端が前記第二開口を貫通して前記第二ＵＳＢ接続ポートに接続され、１つのデータ伝送線の他端が前記携帯電話機の前記第三ＵＳＢ接続ポートに接続されることによって、前記タブレットパソコンの電気エネルギーは、前記携帯電話機に伝えられることを特徴とする請求項８に記載のタブレットパソコン保護機構。
【発明の詳細な説明】
【技術分野】
【０００１】
本発明は、保護ケースに関し、特にタブレットパソコン及び携帯電話機を同時に充電することができる保護ケースに関するものである。
【背景技術】
【０００２】
従来の保護ケースは、タブレットパソコンに傷がつかないよう保護し、且つスタンドとしてタブレットパソコンを支持する。また、保護ケースは、そのカバー部を開く又は閉じることによって、タブレットパソコンを起動させる又は待機状態にする等の機能を備える。
【０００３】
通常、ユーザは、携帯電話機の３Ｇネットワークを利用して、タブレットパソコンをインターネットに接続することができる。しかし、タブレットパソコン及び携帯電話機の電池は消耗し易い。また、タブレットパソコン及び携帯電話機は、一般的に内蔵電池を採用し、且つ２つの異なる電源アダプタによってそれぞれ充電する。ユーザが電源アダプタを持っていない又は電源アダプタを使用できない環境にいる場合、タブレットパソコン及び携帯電話機を充電できないため非常に不便である。従って、如何に、タブレットパソコン及び携帯電話機を同時に且つ容易に充電することが現在の課題である。
【発明の概要】
【発明が解決しようとする課題】
【０００４】
そこで、本発明は以上の問題点に鑑みてなされたものであり、タブレットパソコン及び携帯電話機を保護すると共に、タブレットパソコン及び携帯電話機を同時に充電することができる保護ケースを提供することを目的とする。
【課題を解決するための手段】
【０００５】
上記の課題を解決するために、本発明に係る保護ケースは、台座及び前記台座に連接される主体部を備える。前記主体部は、タブレットパソコンを収納するために用いられ、前記保護ケースは、前記主体部に設けられた充電アセンブリをさらに備え、前記充電アセンブリは、ケーブル及び前記ケーブルに接続された主充電コイルを含み、前記ケーブルは、外部の交流電源に接続されて、交流電流を前記主充電コイルに伝え、前記主充電コイルは、前記交流電流の作用で交流磁場を発生し、前記タブレットパソコンに設けられた第一サブ充電コイルは、前記交流磁場によって、電気エネルギーを生成して、前記タブレットパソコンを充電する。
【０００６】
また、上記の課題を解決するために、本発明に係るタブレットパソコン保護機構は、台座と、前記台座に連接される主体部と、前記主体部に収容されるタブレットパソコンと、を備える。前記タブレットパソコン保護機構は、前記主体部に設けられた充電アセンブリをさらに備え、前記充電アセンブリは、ケーブル及び前記ケーブルに接続された主充電コイルを含み、前記タブレットパソコン内には第一サブ充電コイルが装着されており、前記ケーブルは、外部の交流電源に接続されて、交流電流を前記主充電コイルに伝え、前記主充電コイルは、前記交流電流の作用で交流磁場を発生し、前記第一サブ充電コイルは、前記交流磁場によって、電気エネルギーを生成して、前記タブレットパソコンを充電する。
【発明の効果】
【０００７】
従来の技術と異なり、本発明に係る保護ケースは、携帯電話機及びタブレットパソコンを同時にその両側に収納して、交流電流をケーブルにより主体部に設けられた主充電コイルに伝えて、前記主充電コイルに交流磁場を発生させる。前記交流磁場によって、タブレットパソコンの内部に設けられた第一サブ充電コイル及び携帯電話機の内部に設けられた第二サブ充電コイルは、電気エネルギーを生成して、前記タブレットパソコン及び前記携帯電話機を同時に充電する。また、前記携帯電話機が第二データ伝送線を介して前記タブレットパソコンに電気的に接続されるので、台座に装着された電池からの電気エネルギーは、第一データ伝送線及び前記第二データ伝送線を介して、前記タブレットパソコン及び前記携帯電話機にそれぞれ伝えられて、前記タブレットパソコン及び前記携帯電話機の使用時間を延長することができる。
【図面の簡単な説明】
【０００８】
【図１】本発明の実施形態に係る保護ケースの構造を示す図である。
【図２】図１に示した保護ケースに、タブレットパソコン及び携帯電話機が同時に収納されている状態を示す図である。
【発明を実施するための形態】
【０００９】
図１及び図２に示すように、本発明の実施形態に係る保護ケース１００は、主にタブレットパソコン保護機構に用いられ、且つ台座１０、主体部３０及び充電アセンブリ５０を備える。主体部３０は、台座１０に対して撓ませることが可能なように連接される。即ち、主体部３０は、台座１０に対して折り畳むことができる。主体部３０は、タブレットパソコン６０及び携帯電話機７０を同時に収納することができる。台座１０と主体部３０とが互いに重なり合うように保護ケース１００を閉じると、台座１０はカバーとして主体部３０の上面を覆い、タブレットパソコン６０の正面を保護する。充電アセンブリ５０は、タブレットパソコン６０及び携帯電話機７０を同時に充電することができる。
【００１０】
台座１０の内部には、平板状の電池１１が内蔵されている。電池１１の側面には、導電端子１１１が設けられている。台座１０には、導電端子１１１に対応して位置する開口１３が設けられている。第一データ伝送線１５の一端は、開口１３を貫通して導電端子１１１に電気的に接続され、第一データ伝送線１５の他端は、タブレットパソコン６０の側壁６１に設けられた第一ＵＳＢ接続ポート６３に電気的に接続される。これにより、電池１１からの電気エネルギーは、タブレットパソコン６０及び携帯電話機７０まで伝えられる。これについては、以下で詳細に説明する。
【００１１】
主体部３０は、収容空間３１、収容空間３１の背面に位置する収容部３３及び支持部３５を備える。タブレットパソコン６０が収容空間３１の中に収容されると、タブレットパソコン６０の下端は、台座１０の上面に当止されて、主体部３０によって、斜めに立つように支持される（図２を参照）。また、主体部３０の側面には、収容空間３１と連通する第二開口３７がさらに設けられている。
【００１２】
収容部３３は、主体部３０の外面に設けられ、且つ収容部３３には、内部に携帯電話機７０を収納するための収容空間３３１が形成されている。携帯電話機７０は、主体部３０におけるタブレットパソコン６０の反対側に位置する。ユーザは、携帯電話機７０の３Ｇネットワークを使用して、タブレットパソコン６０でインターネットに接続することができる。
【００１３】
支持部３５の一端は台座１０に撓ませることが可能なように（折り曲げることが可能なように）連接され、支持部３５の他端は主体部３０における収容空間３１が形成される部分の下端に撓ませることが可能なように（折り曲げることが可能なように）連接される。支持部３５と台座１０との間の夾角は鋭角であり、支持部３５と主体部３０における収容空間３１が形成される部分との間の夾角は鈍角である。
【００１４】
タブレットパソコン６０の側壁６１には、第二開口３７に対応して位置する第二ＵＳＢ接続ポート（図示しない）がさらに設けられている。第一データ伝送線１５の一端が導電端子１１１に電気的に接続され、第一データ伝送線１５の他端が第一ＵＳＢ接続ポート６３に電気的に接続されるので、電池１１からの電気エネルギーは、先ずタブレットパソコン６０に伝えられる。タブレットパソコン６０の内部には、第一サブ充電コイル（図示しない）が装着されている。
【００１５】
携帯電話機７０の一端には、第三ＵＳＢ接続ポート７１が設けられている。第二データ伝送線１７の一端が第二開口３７を貫通して前記第二ＵＳＢ接続ポートに電気的に接続され、第二データ伝送線１７の他端が第三ＵＳＢ接続ポート７１に電気的に接続されることによって、タブレットパソコン６０の電気エネルギーは、携帯電話機７０に伝えられる。携帯電話機７０の内部には、第二サブ充電コイル（図示しない）が装着されている。
【００１６】
充電アセンブリ５０は、ケーブル５１、主充電コイル５３及び電源線５５を備える。ケーブル５１は、主充電コイル５３に接続されている。充電アセンブリ５０は、電池１１、タブレットパソコン６０及び携帯電話機７０を充電することができる。ケーブル５１は、互いに接続されている第一サブケーブル５１１及び第二サブケーブル５１３を備える。
【００１７】
第一サブケーブル５１１の一端は、電池１１に電気的に接続されており、且つ電池１１から延在して、台座１０の一部及び主体部３０の一部を順次に通過して、主体部３０の内部に設けられた主充電コイル５３に電気的に接続される。第二サブケーブル５１３は、第一サブケーブル５１１から台座１０を貫通して、電源線５５に接続される。電源線５５は、外部の交流電源（図示しない）に接続される。
【００１８】
電源線５５が外部の交流電源に接続されると、交流電流は、電源線５５及び第二サブケーブル５１３を経由して第一サブケーブル５１１に伝えられる。第一サブケーブル５１１が受けた交流電流の一部は電池１１に伝えられて、電池１１を充電する。第一サブケーブル５１１が受けた交流電流の残りは、主充電コイル５３に伝えられる。これにより、主充電コイル５３は、交流電流の作用で、交流磁場を発生する。タブレットパソコン６０内の第一サブ充電コイル及び携帯電話機７０内の第二サブ充電コイルは、主充電コイル５３から発生された交流磁場を受けて、電気エネルギーを生成して、タブレットパソコン６０及び携帯電話機７０を同時に充電する。
【００１９】
また、電源線５５が外部の交流電源に接続されない場合、電池１１は、第一データ伝送線１５及び第二データ伝送線１７を介して、自身の電気エネルギーをタブレットパソコン６０及び携帯電話機７０にそれぞれ伝えて、タブレットパソコン６０及び携帯電話機７０の使用時間を延長させる。
【００２０】
上記の実施形態から分かるように、本発明の保護ケース１００は、主にタブレットパソコンを保護するための機構に用いられ、且つ台座１０、主体部３０及び充電アセンブリ５０を備える。主体部３０は、タブレットパソコン６０及び携帯電話機７０を同時に収納することができ、充電アセンブリ５０は、台座１０内の電池１１、タブレットパソコン６０及び携帯電話機７０を同時に充電することができる。
【符号の説明】
【００２１】
１０  台座
１１  電池
１１１  導電端子
１３  開口
１５  第一データ伝送線
１７  第二データ伝送線
３０  主体部
３１  収容空間
３３  収容部
３３１  収容空間
３５  支持部
３７  第二開口
５０  充電アセンブリ
５１  ケーブル
５１１  第一サブケーブル
５１３  第二サブケーブル
５３  主充電コイル
５５  電源線
６０  タブレットパソコン
６１  側壁
６３  第一ＵＳＢ接続ポート
７０  携帯電話機
７１  第三ＵＳＢ接続ポート
１００  保護ケース
【図１】
2014220994.tif 000003
【図２】
2014220994.tif 000004